(57)【特許請求の範囲】
【請求項１】
表面と裏面とを有する基板と、
複数の端子を有し、前記基板の表面に実装される液晶パネルであって、前記複数の端子が一列に並んで前記基板の表面から裏面に貫通し、貫通した前記複数の端子のうち少なくとも一組の隣り合う端子間の距離が他の組の隣り合う端子間の距離より長い液晶パネルと、
複数の液晶パネル駆動用ポートと液晶パネル駆動用以外のポートとを有し、前記基板の裏面に実装されるマイコンであって、前記複数の液晶パネル駆動用ポートと前記液晶パネル駆動用以外のポートとが一列に並び、前記複数の液晶パネル駆動用ポートのうち前記少なくとも一組の隣り合う端子に対応する液晶パネル駆動用ポート間に前記液晶パネル駆動用以外のポートが配置されるマイコンと、
前記基板に実装される他の部品と
を備え、
前記基板の裏面には、貫通した前記複数の端子に前記複数の液晶パネル駆動用ポートを接続するパターンと、貫通した前記少なくとも一組の隣り合う端子間を通って前記他の部品に前記液晶パネル駆動用以外のポートを接続するパターンとが形成されたことを特徴とする液晶表示装置。
【請求項２】
前記液晶パネル駆動用以外のポートは、マイコン電源用ポートであり、
前記他の部品は、電源であることを特徴とする請求項１の液晶表示装置。
【請求項３】
冷蔵庫本体と、
この冷蔵庫本体の前面に取り付けられる扉と、
この扉の外側の面に設けられる請求項１又は請求項２の液晶表示装置と
を備えたことを特徴とする冷蔵庫。
【発明の詳細な説明】
【技術分野】
【０００１】
この発明は、液晶パネルと、液晶パネル関連のポートとそれ以外のポートが混在して並んで配置されるマイコンとを有する液晶表示装置及びその液晶表示装置を備えた冷蔵庫に関するものである。
【背景技術】
【０００２】
従来、冷蔵庫の使用者が、冷蔵庫の各部屋の温度の調節や急冷の設定などの操作を行う装置として、冷蔵庫の外側の面（主には冷蔵室の扉）に液晶表示装置を設置している。液晶表示装置は、液晶パネルと、液晶パネルの駆動を制御するマイコンとを有している。
【０００３】
従来の液晶パネルは、液晶パネル端部に複数の電極端子を有し、複数の電極端子は一定の間隔で配置されていた（例えば、特許文献１参照）。
【特許文献１】特開昭５９−４６６７９号公報（第３頁、第１図）
【発明の開示】
【発明が解決しようとする課題】
【０００４】
しかしながら、前記特許文献１に記載された液晶パネルのように、端子間の距離が一定である液晶パネルを使用する場合、液晶パネルを駆動するマイコンのポート配置が、液晶パネル関連のポートとそれ以外のポート（例えば、マイコン電源用ポート（５Ｖ、ＧＮＤ））とで混在していると、ジャンパ線を使用して、パターンをまたぐ必要があった。
【０００５】
この発明は、上記のような課題を解決するためになされたもので、液晶パネルと、液晶パネル関連のポートとそれ以外のポートとが混在して並んで配置されているマイコンとを有する液晶表示装置において、ジャンパ線を使用することなく、パターンを引き回すことを目的とする。
【課題を解決するための手段】
【０００６】
この発明に係る液晶表示装置は、複数の端子を有する液晶パネルと、液晶パネル駆動用ポートとそれ以外のポートが混在するポート配置のマイコンとを基板に実装し、液晶パネルの少なくとも一箇所の端子間の距離を他の端子間の距離より広げ、この端子間の距離を広げた部分に、液晶パネル駆動用ポート以外のパターンを通すことを特徴とする。
【発明の効果】
【０００７】
この発明に係る液晶表示装置は、液晶パネルの少なくとも一箇所の端子間の距離を広げ、この端子間の距離を広げた部分に、液晶パネル駆動用ポート以外のパターンを通すことにより、ジャンパ線を使用することなく、配線を引き回すことができる。
【発明を実施するための最良の形態】
【０００８】
実施の形態１．
図１乃至図５は実施の形態１を示す図で、図１は液晶表示装置１を備えた冷蔵庫１０の全体正面図、図２は液晶表示装置１の正面図（ａ）と側面図（ｂ）、図３は液晶表示装置１に搭載されたマイコン６のポート配置図、図４は液晶表示装置１の液晶パネル２取り付け図（（ａ）は平面図、（ｂ）は斜視図）、図５は比較のために示す従来の液晶表示装置１の液晶パネル２取り付け図（（ａ）は平面図、（ｂ）は斜視図）である。
【０００９】
本実施の形態では、冷蔵庫の液晶表示装置を例に説明するが、他の機器の液晶表示装置にも適用される。
【００１０】
図１は冷蔵庫１０の正面図である。図１に示す冷蔵庫１０は、５個の部屋に分かれている。冷蔵庫１０の本体の前面には、各部屋の扉が取り付けられている。図１の例では、上から冷蔵室扉１１、その下に製氷室扉１２及び切替室扉１３、その下に野菜室扉１４、その下に冷凍室扉１５が配設されている。図１に示す冷蔵庫１０は、一例であり他の形態の冷蔵庫でもよい。
【００１１】
液晶表示装置１が、冷蔵庫１０のユーザーが、冷蔵庫１０の各部屋の温度調節、急冷の設定等の操作を行う装置として、冷蔵庫１０の外側の面に取り付けている。図１では冷蔵室扉１１に取り付けられている。但し、冷蔵室扉１１に限定されるものではなく、他の扉に取り付けてもよい。
【００１２】
図２に示すように、液晶表示装置１は、表示部となる液晶パネル２、この液晶パネル２に光を照射する発光ダイオード３、発光ダイオード３の光を液晶パネル２に均一に広げるように作用する導光板４、発光ダイオード３に光を反射させる反射板５、液晶パネル２を駆動するマイコン６を備え、これらが基板７に実装されている。但し、マイコン６の配置は概念的なもので、実際は液晶パネル２の裏側に設けられる（図４を参照）。基板７にはユーザが冷蔵庫１０の各部屋の温度調節、急冷の設定等の操作を行う操作ボタン８を備える。操作ボタン８は、５個の部屋の選択を行う室選択ボタン８ａ、選択された室の温度を設定する温度調節ボタン８ｂ、急冷等の設定を行う急冷等設定ボタン８ｃを有する。
【００１３】
図３に示すように、マイコン６はマイコン６自身を駆動するために必要な５ＶとＧＮＤのマイコン電源用ポート２１が、液晶パネル２を駆動するための液晶パネル駆動用ポート２２に囲まれた配置となっている。
【００１４】
図３では、液晶パネル駆動用ポート２２と、マイコン電源用ポート２１とが混在したマイコン６としたが、これに限らず、マイコン電源用ポート２１以外のポートが、液晶パネル駆動用ポート２２と混在している場合でもよい。
【００１５】
液晶パネル２は、マイコン６の液晶パネル駆動用ポート２２と接続する複数の端子２ａを備える。通常この複数の端子２ａは、同一間隔で配置される。
【００１６】
図５は比較のために示す従来の液晶表示装置１の液晶パネル２取り付け図である。液晶パネル２のそれぞれの端子２ａ間の距離が一定の場合、液晶パネル２を駆動するマイコン６のポート配置が、液晶パネル駆動用ポート２２とそれ以外のポート（例えば、マイコン電源用ポート２１等）と混在していると、図５に示すように、ジャンパ線２３を使用して、パターンを跨ぐ必要があった。図５（ｂ）では液晶パネル２が基板７に対して垂直になっているが、実際は基板７に対して平行である。図４でも同様である。
【００１７】
本実施の形態では、図４に示すように、液晶パネル２を駆動するための液晶パネル駆動用ポート２２と、マイコン電源用ポート２１とが混在しているマイコン６のポート配置に合わせて、液晶パネル２の端子２ａ間を一定にせずに、マイコン電源用ポート２１が間に入る端子２ａ間の距離をその他の端子２ａ間の距離より広げる。この広げた端子２ａ間に、マイコン電源用ポート２１のパターンを通す。
【００１８】
以上のように、本実施の形態では、液晶パネル２を駆動するための液晶パネル駆動用ポート２２と、マイコン電源用ポート２１とが混在しているマイコン６を搭載した冷蔵庫１０の液晶表示装置１において、液晶パネル２の端子２ａ間を一定とせずに、マイコン電源用ポート２１が間に入る液晶パネル２の端子２ａ間の距離を広げ、その間にマイコン電源用ポート２１のパターンを通すため、ジャンパ線２３を追加する必要がない。
【００１９】
図４では、液晶パネル２の端子２ａ間を１箇所のみ広げているが、これに限らず、複数の端子２ａ間を広げてもよく、マイコン６のポート配置が、液晶パネル２駆動用の液晶パネル駆動用ポート２２、５Ｖ、ＧＮＤのマイコン電源用ポート２１、またその他のポートが混在している場合でも、複数の端子２ａ間にパターンを通すことが可能であり、ジャンパ線２３を追加する必要がない。
【図面の簡単な説明】
【００２０】
【図１】実施の形態１を示す図で、液晶表示装置１を備えた冷蔵庫１０の全体正面図。
【図２】実施の形態１を示す図で、液晶表示装置１の正面図（ａ）と側面図（ｂ）。
【図３】実施の形態１を示す図で、液晶表示装置１に搭載されたマイコン６のポート配置図。
【図４】実施の形態１を示す図で、液晶表示装置１の液晶パネル２取り付け図（（ａ）は平面図、（ｂ）は斜視図）。
【図５】実施の形態１を示す図で、比較のために示す従来の液晶表示装置１の液晶パネル２取り付け図（（ａ）は平面図、（ｂ）は斜視図）。
【符号の説明】
【００２１】
１  液晶表示装置、２  液晶パネル、２ａ  端子、３  発光ダイオード、４  導光板、５  反射板、６  マイコン、７  基板、８  操作ボタン、８ａ  室選択ボタン、８ｂ  温度調節ボタン、８ｃ  急冷等設定ボタン、１０  冷蔵庫、１１  冷蔵室扉、１２  製氷室扉、１３  切替室扉、１４  野菜室扉、１５  冷凍室扉、２１  マイコン電源用ポート、２２  液晶パネル駆動用ポート、２３  ジャンパ線。
【図１】
0004999576.tif 000002
【図２】
0004999576.tif 000003
【図３】
0004999576.tif 000004
【図４】
0004999576.tif 000005
【図５】
0004999576.tif 000006